(57)【要約】［課題］  入れ物から上側に離した状態で保持しながら安定させて、直接入れ物にすりおろす事ができる野菜すりおろし器を提供する。［解決手段］  上記課題を解決するために、本発明は表面に亘って刃が形成され、更に裏面に貫通する孔を有した板状部材と脚部と把持部とで構成されている野菜すりおろし器において、該板状部材には脚部と把持部が形成されており、そして、板状部材の表面の刃の配置面積が、孔の配置面積よりも大きく形成されている事を特徴とする脚付き野菜すりおろし器を提供する。【選択図】  図１
2005066257.tif 000002
【特許請求の範囲】
【請求項１】
表面に亘って刃が形成され、更に裏面に貫通する孔を有した板状部材と脚部と把持部とで構成されている野菜すりおろし器において、該板状部材には脚部と把持部が形成されており、そして、板状部材の表面の刃の配置面積が、孔の配置面積よりも大きく形成されている事を特徴とする脚付き野菜すりおろし器。
【請求項２】
複数の孔を集合させて配置した請求項１に記載の脚付き野菜すりおろし器。
【請求項３】
板状部材の内側中央部に伸長して孔と繋がる、刃を形成していない通路を有する請求項１〜２のいずれかに記載の脚付き野菜すりおろし器。
【請求項４】
板状部材を皿状に形成した請求項１〜３のいずれかに記載の脚付き野菜すりおろし器。
【請求項５】
板状部材の下側に、下方に貫通する孔を有する台座を形成し、板状部材を乗せ、該台座に少なくとも脚部を形成した請求項１〜４のいずれかに記載の脚付き野菜すりおろし器。
【請求項６】
板状部材の下側に、容器を嵌合させるための手段を施し、容器を取り付けた請求項１〜５のいずれかに記載の脚付き野菜すりおろし器。
【請求項７】
板状部材の下部に、容器の淵に沿って凸部を形成した請求項６に記載の脚付き野菜すりおろし器。
【発明の詳細な説明】
【発明の詳細な説明】
［発明の属する技術分野］
【０００１】  本発明は大根や人参をすりおろすための野菜すりおろし器に関する。
［従来の技術］
【０００２】  従来、この種の野菜すりおろし器には、板状部材の表面にギザギザの刃を並べて付け、端部にすりおろした物を貯める凹みを有する物か、又は、板状部材にギザギザの刃を付け、更に板状部材の刃に沿わせて複数の孔を開け、そこから板状部材の下部に取り付けた容器にすり落とす方法の物であった。これらのすりおろし器を使用する際は、すりおろした物を端部に形成された凹みか又は容器に溜めてから入れ物に移すやり方をしなくてはならなかった。
［発明が解決しようとする課題］
【０００３】  本発明はすりおろし器を入れ物から上側に離した状態で保持しながら安定させて、直接入れ物にすりおろす事ができるようにする事を課題とする。
［課題を解決するための手段］
【０００４】  上記課題を解決するために、本発明の第一の態様は、表面に亘って刃が形成され、更に裏面に貫通する孔を有した板状部材と脚部と把持部とで構成されている野菜すりおろし器において、該板状部材には脚部と把持部が形成されており、そして、板状部材の表面の刃の配置面積が、孔の配置面積よりも大きく形成されている事を特徴とする脚付き野菜すりおろし器を提供する。
［発明の実施の形態］
【０００５】  以下、図面を参照しながら本発明の各種態様に係る脚付き野菜すりおろし器に関して説明する。以下の説明は、本発明の技術思想を具現化する幾つかの具体例を説明するものであり、本発明は以下の説明に限定されるものではない。
【０００６】  図１は本発明の脚付き野菜すりおろし器を示す斜視図ａと平面図ｂである。図１−ａに示す脚付き野菜すりおろし器は表面に亘って刃１を取り付け、更に裏面に貫通する孔２を形成した板状部材３と脚部４と把持部５とで構成されている。その際、該板状部材３の片側下部に脚部４が形成されており、反対側端部に把持部５が形成されている。これを使用する際は、野菜、例えば大根を刃１に当てて前後にこする。すりおろされた大根は孔２を通って下に落ちる。ここで、本発明の野菜すりおろし器は次の二つの特徴を有する。一つは脚部４が形成されている事である。この事により、すりおろした大根を入れ物に入れる際、脚部４をテーブル等において把持部５を持てば、孔２を入れ物の上に位置させることができるので、入れ物に触れることなく安定して、すりおろし作業をすることが可能となるのである。実施上、脚部４の高さは、入れ物の高さを考慮して決める必要があるが、板状部材３の底部から脚部４の底部まで３ｃｍ以上有る事が好ましい。又、脚部４は図１−ａで示すように２本以上の棒状又は板状部材を互いに離して形成すると良い。このようにすると、２本の脚部４に皿の淵を内側より接触させて回転させる事ができ、それにより、皿の淵に沿ってすりおろすことも可能となる。又、板状部材を湾曲又は屈曲させて形成しても良い。その両端部に皿を接触させ、回転させても効果は同じである。又、脚部４は板状部材３に対して直交している必要はない．又、曲がっていても構わない。次に、二つ目の特徴に就いて説明すれば、板状部材３の表面に亘って形成された刃１の配置面積が孔２の配置面積よりも大きいと云うことである。配置面積とは配置された領域の面積を示すものであるが、刃１は表面に亘っているため、配置された領域の面積と解釈して良いが、孔２の場合は孔２が単数の場合と複数の場合とでは次のように解釈される。図１−ａで示すように、孔２が一個の場合は孔２そのものが配置面積となり、図１−ｂで示すように、孔２が複数の場合は、複数の孔２全体で占める領域の面積を示すものである。厳密に云えば配置面積とは刃、又は孔が単数場合は刃、又は孔そのものの占める面積であり、複数の場合は、刃と刃の間、孔と孔の間の面積を含むものである。孔２の配置面積を刃１の配置面積より小さく形成することで、より小さな入れ物へのすりおろしが可能となるのである。実施上、孔２の配置面積は円形で云えば、直径は５〜６ｃｍ程度までが好ましい。又、孔２は円形でも楕円形でも方形でも任意である。又、位置も任意である。
【０００７】  又、その他の部分に就いて云えば、板状部材３の幅は１０〜１２ｃｍ程度、長さは１５〜２０ｃｍ程度が好ましい。又、把持部５は、幅は３〜４ｃｍ程度、長さは縦方向でも横方向でも１０ｃｍ程度が好ましい。又、斜め下方に伸長させて脚部４として併用しても良い。図１−ａでは脚部４と把持部５が板状部材の両先端部に取り付けられているが、脚部４は板状部材下側に形成されていれば、形成位置及は任意である。又、曲がっていても構わない。又、把持部５も形成位置及び方向は任意である。但し、実施上、形成位置は脚部４及び把持部５とも端部が好ましい。又、刃１の形状は通常、山形のギザギザの連続したものであるが、すりおろすことができる形状であれば任意である。又、孔２の出口にすりおろした野菜を入れ物に案内するように案内板を形成しても良い。寸法的には幅２ｍｍ程度、高さ１ｃｍ程度、長さは孔の外周に沿った長さが好ましい。更に、案内板を円形に形成し、キャップを被せても良い。又、板状部材３の上部に蓋をつけても良い。
【０００８】  図２は本発明の他の態様に係る脚付き野菜すりおろし器の形態を示す平面図である。図２に示す脚付き野菜すりおろし器は板状部材３の内側中央部に伸長して孔と繋がる、刃を形成していない通路６を有している。このようにすると、すりおろした野菜を中央部に集めて通路６から孔２に落とし易くなる。実施上、幅は１〜２ｃｍ程度あれば良い。
【０００９】  図３は本発明の他の態様に係る脚付き野菜すりおろし器の形態を示す斜視図である。図３に示す脚付き野菜すりおろし器は、板状部材３を通路６の軸線７に沿って曲げ、更に軸線７方向の両端部を持ち上げて、皿状に形成したものである。このようにすると、すりおろされたものは板状部材３の傾斜によって通路６方向へ落ち易くなり、且つ、皿状になっているのですりおろしたものを溜めておく事ができる。
【００１０】  図４は本発明の他の態様に係る脚付き野菜すりおろし器の形態を示す断面図である。図４に示す脚付き野菜すりおろし器は、板状部材３の下側に下方に貫通する孔を有する台座８を形成して、板状部材３を乗せ、該台座８に脚部４及び把持部５を形成したものである。実施上、台座８の前後に脚部４のみを形成し、把持部５は板状部材３に形成しても良い。
【００１１】  図５は本発明の他の態様に係る脚付き野菜すりおろし器の構造を示す断面図ａとｂである。図５−ａに示す脚付きすりおろし器は板状部材３の下部に容器９の淵に沿って凸部１０を形成して容器９の内側に嵌合したものである。この場合、板状部材３に凸部１０を形成する事と凹部１１を形成する事とは同意である。又、図５−ｂに示すように容器９の外側に嵌合しても良い。ここで云う容器９の淵に沿うと云うのは、連続している必要はなく、断続していても良い。又、ここで云う板状部材３の下部とは板状部材３の下側方向を示すものであり、脚部４とそして把持部５の下部も含むものである。
【００１２】  上記において、本発明の野菜すりおろし器の各部分の好ましい寸法等に就いて言及したが、上記の説明に限定される事なく、形状、寸法、角度などは適宜経験的に決定する事ができる。又、材質に就いても同様、金属、セラミック、プラスチックなど、適宜経験的に決定できる。
［発明の効果］
【００１３】  本発明に係る脚付き野菜すりおろし器によれば、入れ物から上側に離した状態で保持しながら安定させて、直接入れ物にすりおろす事ができる。
【図面の簡単な説明】
【図１】  本発明の一態様に係る脚付き野菜すりおろし器の形態を示す斜視図ａと平面図ｂである。
【図２】  本発明の他の態様に係る脚付き野菜すりおろし器の形態を示す平面図である。
【図３】  本発明の他の態様に係る脚付き野菜すりおろし器の形態を示す斜視図である。
【図４】  本発明の他の態様に係る脚付き野菜すりおろし器の形態を示す断面図である。
【図５】  本発明の他の態様に係る脚付き野菜すりおろし器の構造を示す断面図ａとｂである。
【符号の説明】
１    刃
２    孔
３    板状部材
４    脚部
５    把持部
６    通路
７    軸線
８    台座
９    容器
１０  凸部
１１  凹部
【図１】
2005066257.tif 000003
【図２】
2005066257.tif 000004
【図３】
2005066257.tif 000005
【図４】
2005066257.tif 000006
【図５】
2005066257.tif 000007